(57)【要約】【課題】ＧＳＳＧ型パッド群に適合した端子群が形成された集積回路をフリップチップ接続可能であると共に、不要結合に起因する差動型マイクロストリップ線路の伝送特性の悪化が生じ難い接続構造を実現する。【解決手段】接続構造（１１）は、第１グランドパッド（Ｇ１１）、第１信号パッド（Ｓ１１）、第２信号パッド（Ｓ１２）、及び、第２グランドパッド（Ｇ１２）がこの順に並んだ第１パッド群（１１Ａ）と、第１グランドパッド（Ｇ１１）に接続された第３グランドパッド（Ｇ２１）、第１信号パッド（Ｓ１１）に接続された第３信号パッド（Ｓ２１）、中央グランドパッド（Ｇ２０）、第２信号パッド（Ｓ１２）に接続された第４信号パッド（Ｓ２２）、及び、第２グランドパッド（Ｇ１２）に接続された第４グランドパッド（Ｇ２２）がこの順に並んだ第２パッド群（１１Ｂ）と、を備えている。【選択図】図２
2018157409.tif 000002
【特許請求の範囲】
【請求項１】
差動信号線対に集積回路を接続するための接続構造において、
第１グランドパッド、第１信号パッド、第２信号パッド、及び、第２グランドパッドがこの順に並んだ第１パッド群と、
前記第１グランドパッドに接続された第３グランドパッド、前記第１信号パッドに接続された第３信号パッド、中央グランドパッド、前記第２信号パッドに接続された第４信号パッド、及び、前記第２グランドパッドに接続された第４グランドパッドがこの順に並んだ第２パッド群と、を備えている、
ことを特徴とする接続構造。
【請求項２】
前記第１信号パッド及び前記第３信号パッドに接続された第１信号線と、
前記第２信号パッド及び前記第４信号パッドに接続された第２信号線と、
前記第１グランドパッド及び前記第３グランドパッドに接続された第１外側グランド導体と、
前記第２グランドパッド及び前記第４グランドパッドに接続された第２外側グランド導体と、
前記中央グランドパッドに接続された内側グランド導体であって、前記第１信号線と前記第２信号線との間に挟まれた内側グランド導体と、を更に備えている
ことを特徴とする請求項１に記載の接続構造。
【請求項３】
前記内側グランド導体は、矩形状の導体パターンからなる矩形部と、前記矩形部から突出した、前記矩形部よりも幅の狭い導体パターンからなる突出部であって、先端が前記中央グランドパッドに接続された突出部と、を有しており、
前記第１信号線は、前記内側グランド導体の一方の側に沿う折れ線状の導体パターンであって、一端が前記第１信号パッドに接続され、他端が前記第３信号パッドに接続された導体パターンからなり、
前記第２信号線は、前記内側グランド導体の他方の側に沿う折れ線状の導体パターンであって、一端が前記第２信号パッドに接続され、他端が前記第４信号パッドに接続された導体パターンからなる、
ことを特徴とする請求項２に記載の接続構造。
【請求項４】
請求項１〜３の何れか１項に記載の接続構造と、
前記接続構造の前記第３信号パッド及び前記第４信号パッドに接続された差動信号線対、前記差動信号線対に接続された分配器、及び、前記分配器に接続されたシングルエンド信号線を有する平行不平衡変換回路と、を備えている、
ことを特徴とする回路基板。
【発明の詳細な説明】
【技術分野】
【０００１】
本発明は、差動信号線対に集積回路を接続するための接続構造に関する。また、そのような接続構造を備えた回路基板に関する。
【背景技術】
【０００２】
ミリ波（３０ＧＨｚ〜３００ＧＨｚ）等の高周波信号を誘電体基板上で伝送するために、差動型マイクロストリップ線路が広く用いられている。差動型マイクロストリップ線路は、誘電体基板、誘電体基板の表面に形成された差動信号線対、及び、誘電体基板の裏面に形成されたグランド導体により構成される。
【０００３】
差動型マイクロストリップ線路の差動信号線対に集積回路を接続するための接続構造としては、通常、ＧＳＳＧ型パッド群が用いられる（特許文献１参照）。ＧＳＳＧ型パッド群は、この順に並んだ第１グランドパッド、第１信号パッド、第２信号パッド、及び第２グランドパッドにより構成される。第１信号パッド及び第２信号パッドは、それぞれ、差動信号線対を構成する第１信号線及び第２信号線に接続される。第１グランドパッド及び第２グランドパッドは、誘電体基板を貫通するビアを介して誘電体基板の裏面に形成されたグランド導体に接続される。集積回路を差動型マイクロストリップ線路にフリップチップ接続する場合には、ＧＳＳＧ型パッド群の各パッドに集積回路の対応する端子が接続される。
【０００４】
ところが、ＧＳＳＧ型パッド群には、以下のような問題がある。すなわち、ＧＳＳＧ型パッド群においては、第１信号パッドの一方の側に第１グランドパッドが配置され、第１信号パッドの他方の側に第２信号パッドが配置される。同様に、第２信号パッドの一方の側に第２グランドパッドが配置され、第２信号パッドの他方の側に第１信号パッドが配置される。したがって、第１信号パッド及び第２信号パッドの周囲の電位は、空間的に非対称になる。このため、第１信号パッドから出て第２信号パッドに入るべき電気力線が外部導体に入ったり、第２信号パッドから出て第１信号パッドに入るべき電気力線が外部導体に入ったりする。このような不要結合は、差動型マイクロストリップ線路の伝送特性を悪化させる要因になる。
【０００５】
上記の問題を解消した接続構造としては、ＧＳＧＳＧ型パッド群が知られている（非特許文献１参照）。ＧＳＧＳＧ型パッド群は、この順に並んだ第１グランドパッド、第１信号パッド、中央グランドパッド、第２信号パッド、及び第２グランドパッドにより構成される。第１信号パッド及び第２信号パッドは、それぞれ、差動信号線対を構成する第１信号線及び第２信号線に接続される。ＧＳＧＳＧ型パッド群においては、第１信号パッドの一方の側に第１グランドパッドが配置され、第１信号パッドの他方の側に中央グランドパッドが配置される。同様に、第２信号パッドの一方の側に第２グランドパッドが配置され、第２信号パッドの他方の側に中央グランドパッドが配置される。したがって、第１信号パッド及び第２信号パッドの周囲の電位は、ＧＳＳＧ型パッド群と比べて空間的な対称性が高い。このため、不要結合に起因する差動型マイクロストリップ線路の伝送特性の悪化が生じ難い。
【先行技術文献】
【特許文献】
【０００６】
【特許文献１】特開２０１５−１９８３５０号
【非特許文献】
【０００７】
【非特許文献１】Wei Han, et.al, "Investigation on the Microwave Performance of a High-Speed Opto-Electronic Hybrid Integrated Platform", Proceeding of the World Congress on Engineering 2012, VOL II, WCE 2012, July 4-6, 2012, London, U.K.
【発明の概要】
【発明が解決しようとする課題】
【０００８】
しかしながら、ＧＳＧＳＧ型パッド群には、ＧＳＳＧ構造の端子群が形成された集積回路をフリップチップ接続することができない、という問題があった。
【０００９】
本発明は、上記の問題に鑑みてなされたものであり、差動信号線対に集積回路を接続するための接続構造であって、ＧＳＳＧ構造の端子群が形成された集積回路をフリップチップ接続可能であると共に、不要結合に起因する差動型マイクロストリップ線路の伝送特性の悪化が生じ難い接続構造を実現することにある。
【課題を解決するための手段】
【００１０】
上記の課題を解決するために、本発明に係る接続構造は、差動信号線対に集積回路を接続するための接続構造において、第１グランドパッド、第１信号パッド、第２信号パッド、及び、第２グランドパッドがこの順に並んだ第１パッド群と、前記第１グランドパッドに接続された第３グランドパッド、前記第１信号パッドに接続された第３信号パッド、中央グランドパッド、前記第２信号パッドに接続された第４信号パッド、及び、前記第２グランドパッドに接続された第４グランドパッドがこの順に並んだ第２パッド群と、を備えている、ことを特徴とする。
【００１１】
上記の構成によれば、第１パッド群がＧＳＳＧ構造を有している。このため、ＧＳＳＧ構造を有する端子群が形成された集積回路を第１パッド群にフリップチップ接続することができる。また、上記の構成によれば、第２パッド群がＧＳＧＳＧ構造を有している。すなわち、第３信号パッドは、第３グランドパッドと中央グランドパッドとに挟み込まれ、第４信号パッドは、第４グランドパッドと中央グランドパッドとに挟み込まれる。このため、差動信号線対に接続される第３信号パッド及び第４信号パッドにおいて不要結合が生じ難くなる。このため、不要結合に起因して生じ得る差動信号線対の伝送特性の悪化を抑制することができる。
【００１２】
本発明に係る接続構造は、前記第１信号パッド及び前記第３信号パッドに接続された第１信号線と、前記第２信号パッド及び前記第４信号パッドに接続された第２信号線と、前記第１グランドパッド及び前記第３グランドパッドに接続された第１外側グランド導体と、前記第２グランドパッド及び前記第４グランドパッドに接続された第２外側グランド導体と、前記中央グランドパッドに接続された内側グランド導体であって、前記第１信号線と前記第２信号線との間に挟まれた内側グランド導体と、を更に備えていることが好ましい。
【００１３】
上記の構成によれば、第１信号線は、少なくとも第３信号パッドの近傍において、第１外側グランド導体と内側グランド導体とに挟み込まれる。また、第２信号線は、少なくとも第４信号パッドの近傍において、第２外側グランド導体と内側グランド導体とに挟み込まれる。このため、第１信号線及び第２信号線においても不要結合が生じ難くなる。したがって、不要結合に起因して生じ得る差動信号線の伝送特性の悪化を更に抑制することができる。
【００１４】
本発明に係る接続構造において、前記内側グランド導体は、矩形状の導体パターンからなる矩形部と、前記矩形部から突出した、前記矩形部よりも幅の狭い導体パターンからなる突出部であって、先端が前記中央グランドパッドに接続された突出部と、を有しており、前記第１信号線は、前記内側グランド導体の一方の側に沿う折れ線状の導体パターンであって、一端が前記第１信号パッドに接続され、他端が前記第３信号パッドに接続された導体パターンからなり、前記第２信号線は、前記内側グランド導体の他方の側に沿う折れ線状の導体パターンであって、一端が前記第２信号パッドに接続され、他端が前記第４信号パッドに接続された導体パターンからなる、ことが好ましい。
【００１５】
上記の構成によれば、不要結合に起因して生じ得る差動信号線対の伝送特性の悪化を確実に抑制することができる。
【００１６】
なお、本発明に係る接続構造を備えた回路基板も本発明の範疇に含まれる。例えば、本発明に係る接続構造と、前記接続構造の前記第３信号パッド及び前記第４信号パッドに接続された差動信号線対、前記差動信号線対に接続された分配器、及び、前記分配器に接続されたシングルエンド信号線を有する平衡不平衡変換回路と、を備えている回路基板は、その一例である。
【００１７】
上記の構成によれば、ＧＳＳＧ構造の端子群が形成された集積回路と、不平衡給電を要する素子とを、上記回路基板を介して接続することが可能になる。
【発明の効果】
【００１８】
本発明によれば、ＧＳＳＧ型パッド群に適合した端子群が形成された集積回路をフリップチップ接続可能であると共に、不要結合に起因する差動型マイクロストリップ線路の伝送特性の悪化が生じ難い接続構造を実現することができる。
【図面の簡単な説明】
【００１９】
【図１】本発明の一実施形態に係る接続構造を備えたアンテナ装置の平面図である。
【図２】図１に示すアンテナ装置の拡大平面図である。
【図３】比較例に係るアンテナ装置の拡大平面図である。
【図４】図１に示すアンテナ装置及び図３に示すアンテナ装置の反射特性を示すグラフである。
【図５】図１に示すアンテナ装置及び図３に示すアンテナ装置の放射特性を示すグラフである。
【図６】（ａ）は、図３に示すアンテナ装置におけるＧＳＳＧパッド群近傍の電流分布を示す図である。（ｂ）は、図１に示すアンテナ装置における接続構造近傍の電流分布を示す図である。
【発明を実施するための形態】
【００２０】
〔アンテナ装置の構成〕
本発明の一実施形態に係る接続構造１１を備えたアンテナ装置１について、図１〜３を参照して説明する。図１は、アンテナ装置１の平面図であり、図２は、アンテナ装置１の拡大平面図である。
【００２１】
アンテナ装置１は、図１に示すように、誘電体基板１０、接続構造１１、平衡不平衡変換回路１２、アンテナ導体１３、及びグランド導体１４、を備えた回路基板である。接続構造１１、平衡不平衡変換回路１２、及びアンテナ導体１３は、誘電体基板１０の表面（図１に現れている方の主面）に形成されている。一方、グランド導体１４は、誘電体基板１０の裏面（図１に現れていない方の主面）に形成されており、該裏面を覆っている。なお、「表面」及び「裏面」という呼称は、誘電体基板１０の２つの主面を区別するための便宜的な呼称に過ぎず、アンテナ装置の配置方法や実装方法に関して、何ら制限を加えるものではない。
【００２２】
・接続構造１１
接続構造１１は、図２に示すように、ＧＳＳＧ構造を有する第１パッド群１１Ａと、ＧＳＧＳＧ構造を有する第２パッド群１１Ｂとを備えている。第１パッド群１１Ａは、この順に並んだ第１グランドパッドＧ１１、第１信号パッドＳ１１、第２信号パッドＳ１２、第２グランドパッドＧ１２により構成されている。一方、第２パッド群１１Ｂは、この順に並んだ第３グランドパッドＧ２１、第３信号パッドＳ２１、中央グランドパッドＧ２０、第４信号パッドＳ２２、及び第４グランドパッドＧ２２により構成されている。
【００２３】
また、接続構造１１は、内側グランド導体１１１と、第１信号線１１２ａ及び第２信号線１１２ｂからなる差動信号線対１１２と、第１外側グランド導体１１３と、第２外側グランド導体１１４と、を備えている。内側グランド導体１１１は、一端が中央グランドパッドＧ２０に接続されている。第１信号線１１２ａは、一端が第１信号パッドＳ１１に接続されており、他端が第３信号パッドＳ２１に接続されている。第２信号線１１２ｂは、一端が第２信号パッドＳ１２に接続されており、他端が第４信号パッドＳ２２に接続されている。第１外側グランド導体１１３は、一端が第１グランドパッドＧ１１に接続されており、他端が第３グランドパッドＧ２１に接続されている。第２外側グランド導体１１４は、一端が第２グランドパッドＧ１２に接続されており、他端が第４グランドパッドＧ２２に接続されている。
【００２４】
内側グランド導体１１１は、矩形部１１１ａ及び突出部１１１ｂを有する導体パターンである。矩形部１１１ａは、矩形状の導体パターンである。突出部１１１ｂは、矩形部１１１ａの第１短辺１１１ａ１の中央から突出した、矩形部１１１ａよりも幅の狭い矩形状の導体パターンである。中央グランドパッドＧ２０は、この突出部１１１ｂの終端点に接続される。矩形部１１１ａの中央には、ビア１１１ｃが設けられている。このビア１１１ｃは、誘電体基板１０を貫通しており、誘電体基板１０の表面に形成された内側グランド導体１１１と、誘電体基板１０の裏面に形成されたグランド導体１４とを短絡する。
【００２５】
第１信号線１１２ａは、内側グランド導体１１１の一方の側に沿う折れ線状の導体パターンであり、５つの直線部１１２ａ１〜１１２ａ５により構成されている。第１直線部１１２ａ１は、内側グランド導体１１１の矩形部１１１ａの第２短辺１１１ａ２に近づく方向に延伸する帯状の導体パターンである。第１信号パッドＳ１１は、この第１直線部１１２ａ１の始端点に接続されている。第２直線部１１２ａ２は、第１直線部１１２ａ１の終端点を始端点として、内側グランド導体１１１の矩形部１１１ａの第２短辺１１１ａ２に沿う方向に延伸する帯状の導体パターンである。第３直線部１１２ａ３は、第２直線部１１２ａ２の終端点を始端点として、内側グランド導体１１１の矩形部１１１ａの第１長辺１１１ａ３に沿う方向に延伸する帯状の導体パターンである。第４直線部１１２ａ４は、第３直線部１１３ａ３の終端点を始端点として、内側グランド導体１１１の矩形部１１１ａの第１短辺１１１ａ１に沿う方向に延伸する帯状の導体パターンである。第５直線部１１２ａ５は、第４直線部１１２ａ４の終端点を始端点として、内側グランド導体１１１の矩形部１１１ａの第１短辺１１１ａ１から遠ざかる方向に、内側グランド導体１１１の突出部１１１ｂの一方の側に沿って延伸する帯状の導体パターンである。第３信号パッドＳ２１は、この第４直線部１１２ａ４の終端点に接続される。
【００２６】
第２信号線１１２ｂは、内側グランド導体１１１の中心軸に対して第１信号線１１２ａと線対称の関係にある折れ線状の導体パターンである。すなわち、内側グランド導体１１１の他方の側に沿う折れ線状の導体パターンであり、５つの直線部１１２ｂ１〜１１２ｂ５により構成されている。第１直線部１１２ｂ１は、内側グランド導体１１１の矩形部１１１ａの第２短辺１１１ａ２に近づく方向に延伸する帯状の導体パターンである。第２信号パッドＳ１２は、この第１直線部１１２ｂ１の始端点に接続される。第２直線部１１２ｂ２は、第１直線部１１２ｂ１の終端点を始端点として、内側グランド導体１１１の矩形部１１１ａの第２短辺１１１ａ２に沿う方向（第１信号線１１２ａの第２直線部１１２ａ２の延伸方向と反対方向）に延伸する帯状の導体パターンである。第３直線部１１２ｂ３は、第２直線部１１２ｂ２の終端点を始端点として、内側グランド導体１１１の矩形部１１１ａの第２長辺１１１ａ４に沿う方向に延伸する帯状の導体パターンである。第４直線部１１２ｂ４は、第３直線部１１２ｂ３の終端点を始端点として、内側グランド導体１１１の矩形部１１１ａの第１短辺１１１ａ１に沿う方向（第１信号線１１２ａの第４直線部１１２ａ４の延伸方向と反対方向）に延伸する帯状の導体パターンである。第５直線部１１２ｂ５は、第４直線部１１２ｂ４の終端点を始端点として、内側グランド導体１１１の矩形部１１１ａの第１短辺１１１ａ１から遠ざかる方向に、内側グランド導体１１１の突出部１１１ｂの他方の側に沿って延伸する帯状の導体パターンである。第４信号パッドＳ２２は、この第４直線部１１２ｂ４の終端点に接続される。
【００２７】
第１外側グランド導体１１３は、矩形部１１３ａ及び突出部１１３ｂを有する導体パターンである。矩形部１１３ａは、第１信号線１１２ａの第３直線部１１２ａ３に沿う第２長辺１１３ａ４を有する矩形状の導体パターンである。第３グランドパッドＧ２１は、この矩形部１１３ａの第２長辺１１３ａ４の第１短辺１１３ａ１側の端部に接続される。突出部１１３ｂは、矩形部１１３ａの第２短辺１１３ａ２の第２長辺１１３ａ４側の端部から、第１信号線１１２ａの第２直線部１１２ａ２及び第１直線部１１２ａ１に沿うように突出したＬ字状の導体パターンである。第１グランドパッドＧ１１は、突出部１１３ｂの先端に設けられる。矩形部１１３ａには、長辺方向に沿って並んだ３つのビア１１３ｄ１〜１１３ｄ３が設けられている。これらのビア１１３ｄ１〜１１３ｄ３は、誘電体基板１０を貫通しており、誘電体基板１０の表面に形成された第１外側グランド導体１１３と、誘電体基板１０の裏面に形成されたグランド導体１４とを短絡する。
【００２８】
第２外側グランド導体１１４は、内側グランド導体１１１の中心軸に対して第１外側グランド導体１１３と線対称の関係にある導体パターンである。すなわち、第２外側グランド導体１１４は、矩形部１１４ａ及び突出部１１４ｂを有する導体パターンである。矩形部１１４ａは、第２信号線１１２ｂの第３直線部１１２ｂ３に沿う第１長辺１１４ａ３を有する矩形状の導体パターンである。第４グランドパッドＧ２２は、この矩形部１１４ａの第１長辺１１４ａ３の第１短辺１１４ａ１側の端部に接続される。突出部１１４ｂは、矩形部１１４ａの第２短辺１１４ａ２の第１長辺１１４ａ３側の端部から、第２信号線１１２ｂの第２直線部１１２ｂ２及び第１直線部１１２ｂ１に沿うように突出したＬ字状の導体パターンである。第２グランドパッドＧ１２は、この突出部１１４ｂの先端に接続される。矩形部１１４ａには、長辺方向に沿って並んだ３つのビア１１４ｄ１〜１１４ｄ３が設けられている。これらのビア１１４ｄ１〜１１４ｄ３は、誘電体基板１０を貫通しており、誘電体基板１０の表面に形成された第２外側グランド導体１１４と、誘電体基板１０の裏面に形成されたグランド導体１４とを短絡する。
【００２９】
・平衡不平衡回路
平衡不平衡変換回路１２は、図２に示すように、第１信号線１２１ａ及び第２信号線１２１ｂからなる差動信号線対１２１と第３信号線１２３とを、分配器１２２を介して接続したものである。第１信号線１２１ａは、接続構造１１の信号パッドＳ２１に接続された帯状の導体パターンである。第２信号線１２１ｂは、接続構造１１の信号パッドＳ２２に接続された帯状の導体パターンである。第１信号線１２１ａ及び第２信号線１２１ｂからなる差動信号線対１２１は、誘電体基板１０を介して対向するグランド導体１４と共に差動型マイクロストリップ線路を構成する。一方、第３信号線１２３は、帯状の導体パターンである。第３信号線１２３は、誘電体基板１０を介して対向するグランド導体１４と共にシングルエンド型マイクロストリップ線路を構成する。
【００３０】
分配器１２２は、リング導体１２２ａを含むラットレース型分配器である。リング導体１２２ａは、４つの直線部１２２ａ１〜１２２ａ４からなる。第１直線部１２２ａ１は、帯状の導体パターンであり、第１直線部１２２ａ１上に設けられた接続点Ｐ１において、差動型マイクロストリップ線路を構成する第１信号線１２１ａに接続されている。第２直線部１２２ａ２は、第１直線部１２２ａ１の終端点を始端点とし、第１直線部１２２ａ１の延伸方向と直交する方向に延伸する帯状の導体パターンであり、第２直線部１２２ａ２上に設けられた接続点Ｐ２において、差動型マイクロストリップ線路を構成する第２信号線１２１ｂに接続されている。第３直線部１２２ａ３は、第２直線部１２２ａ２の終端点を始端点とし、第１直線部１２２ａ１の延伸方向と反対方向に延伸する帯状の導体パターンであり、第３直線部１２２ａ３上に設けられた接続点Ｐ３において、シングルエンド型マイクロストリップ線路を構成する第３信号線１２３に接続されている。第４直線部１２２ａ４は、第３直線部１２２ａ３の終端点を始端点とすると共に第１直線部１２２ａ１の始端点を終端点とし、第２直線部１２２ａ２の延伸方向と反対方向に延伸する帯状の導体パターンである。なお、ここでは、各直線部１２２ａ１〜１２２ａ４の二つの端点のうち、リング導体１２２ａを上面側から見て反時計まわりに辿ったときに、上流側に位置する端点を始端点、下流側に位置する端点を終端点としている。
【００３１】
リング導体１２２ａにおいて、接続点Ｐ１から接続点Ｐ３に至る経路の電気長Ｌ１３、及び、接続点Ｐ２から接続点Ｐ３に至る経路の電気長Ｌ２３は、平衡不平衡変換の対象となる信号の波長λとして、その差の絶対値｜Ｌ１３−Ｌ２３｜がλ／２＋ｎλ（ｎは、０以上の任意の整数）に一致するように設定される。特に本実施形態においては、その差Ｌ１３−Ｌ２３がλ／２に一致するように設定されている。これにより、接続点Ｐ１及び接続点Ｐ２から入力された逆位相の信号は、同位相の信号として接続点Ｐ３から出力される（差動信号からシングルエンド信号への変換）。逆に、接続点Ｐ３から入力された信号は、逆位相の信号として接続点Ｐ１及び接続点Ｐ２から出力される（シングルエンド信号から差動信号への変換）。
【００３２】
分配器１２２は、更に、第１スタブ１２２ｂ及び第２スタブ１２２ｃを含んでいる。第１スタブ１２２ｂは、第２直線部１２２ａ２からリング導体１２２ａの内側に向かって突出した帯状導体であり、第２スタブ１２２ｃは、第４直線部１２２ａ４からリング導体１２２ａの内側に向かって突出した帯状導体である。第１スタブ１２２ｂ及び第２スタブ１２２ｃは、分配器１２２において生じた反射波を抑制する効果を奏する。
【００３３】
・アンテナ導体
アンテナ導体１３は、図１に示すように、給電線路１３ａに複数のオープンスタブ（以下、単に「スタブ」と記載）１３ｂ１〜１３ｂ１７を付加したコムライン型のアンテナ導体である。
【００３４】
給電線路１３ａは、アンテナ導体１３の幹となる帯状の導体パターンである。給電線路１３ａは、誘電体基板１０を介して対向するグランド導体１４と共にマイクロストリップラインを構成する。給電線路１３ａの入力端は、平衡不平衡変換回路１２の第３信号線１２３に接続されている。
【００３５】
スタブ１３ｂ１〜１３ｂ１７は、アンテナ導体１３の枝となる導体パターンであり、給電線路１３ａの延伸方向と直交する方向に延伸する。スタブ１３ｂ１〜１３ｂ１７には、給電線路１３ａの一方の側に設けられたもの（符号の末尾が奇数のもの）と、給電線路１３ａの他方の側に設けられたもの（符号の末尾が偶数のもの）とがあり、前者と後者とが交互に配置される。各スタブ１３ｂｉ（ｉ＝１〜１７）の形状は、任意であり、所望のアンテナ特性が得られるように適宜決定すればよい。なお、各スタブ１３ｂｉ（ｉ＝１〜１６）の周囲には、図１に示すように、３つの無給電素子が配置されてもよい。また、スタブ１３ｂ１７の周囲には、図１に示すように、２つの無給電素子が配置されてもよい。
【００３６】
・効果
以上のように、接続構造１１において、集積回路が接続される第１パッド群１１Ａは、ＧＳＳＧ構造を有している。このため、ＧＳＳＧ型パッド群に適合した端子群が形成された集積回路を第１パッド群１１Ａにフリップチップ接続することが可能である。また、平衡不平衡変換回路１２の差動信号線対１２１に接続される第２パッド群１１Ｂは、ＧＳＧＳＧ構造を有している。このため、不要結合に起因する差動信号線対１２１の伝送特性の悪化が生じ難い。このため、共振周波数における反射係数の大きさ｜Ｓ１１｜が小さく、使用可能帯域幅が広く、かつ、利得の高いアンテナ装置１を実現することができる。
【００３７】
〔効果の検証〕
接続構造１１の効果を検証するために、図１に示すアンテナ装置１（以下、「実施例に係るアンテナ装置１」という）と、実施例に係るアンテナ装置１の接続構造１１を、図３に示すＧＳＳＧパッド群２１に置き換えたもの（以下、「比較例に係るアンテナ装置２」という）との反射特性を比較する。
【００３８】
図４は、実施例に係るアンテナ装置１及び比較例に係るアンテナ装置２の反射特性を示すグラフである。
【００３９】
図４に示すように、実施例に係るアンテナ装置１の共振周波数は６０ＧＨｚであり、当該共振周波数における反射係数の大きさ｜Ｓ１１｜は、約−１２ｄＢである。一方、図４に示すように、比較例に係るアンテナ装置２の共振周波数は、５５ＧＨｚであり、当該共振周波数における反射係数の大きさ｜Ｓ１１｜は、約−８ｄＢである。すなわち、実施例に係るアンテナ装置１の共振周波数における反射係数の大きさ｜Ｓ１１｜は、比較例に係るアンテナ装置２の共振周波数における反射係数の大きさ｜Ｓ１１｜よりも小さい。
【００４０】
また、図４に示すように、実施例に係るアンテナ装置１の使用可能帯域幅は、約４ＧＨｚであるのに対して、比較例に係るアンテナ装置２の使用可能帯域幅は、約１．３ＧＨｚである。すなわち、実施例に係るアンテナ装置１の使用可能帯域幅は、比較例に係るアンテナ装置２の使用可能帯域幅よりも広い。なお、ここでは、｜Ｓ１１｜が−５ｄＢ以下になる周波数帯域の帯域幅を使用可能帯域幅と見做した。
【００４１】
図５は、実施例に係るアンテナ装置１及び比較例に係るアンテナ装置２の放射特性を示すグラフである。
【００４２】
図５に示すように、実施例に係るアンテナ装置１の利得は、各方向において比較例に係るアンテナ装置２の利得よりも高い。特に、最大利得方向については、実施例に係るアンテナ装置１の利得が比較例に係るアンテナ装置２の利得よりも約７ｄＢ高い。
【００４３】
最後に、アンテナ装置１における上述した特性の改善が接続構造１１の効果により得られたものであることを、図６を参照して確認する。図６において、（ａ）は、比較例に係るアンテナ装置２のＧＳＳＧパッド群２１の近傍における電流分布を示し、（ｂ）は、実施例に係るアンテナ装置１の接続構造１１の近傍における電流分布を示す。
【００４４】
図６によれば、実施例に係るアンテナ装置１においては、不要結合が抑制されていることが見て取れる。このような不要結合の抑制は、平衡不平衡変換回路１２の差動信号線対１２１の伝送特性を改善し、もってアンテナ装置１の反射特性及び放射特性を向上させる。
【００４５】
〔付記事項〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００４６】
１            アンテナ装置
１１            接続構造
１１Ａ            第１パッド群
Ｇ１１              第１グランドパッド
Ｇ１２              第２グランドパッド
Ｓ１１              第１信号パッド
Ｓ１２              第２信号パッド
１１Ｂ            第２パッド群
Ｇ２０              中央グランドパッド
Ｇ２１              第３グランドパッド
Ｇ２２              第４グランドパッド
Ｓ２１              第３信号パッド
Ｓ２２              第４信号パッド
１１１            内側グランド導体
１１２ａ          第１信号線
１１２ｂ          第２信号線
１１３            第１外側グランド導体
１１４            第２外側グランド導体
１２            平衡不平衡変換回路
１２１            差動信号線対
１２１ａ            第１信号線
１２１ｂ            第２信号線
１２２            分配器
１２３            第３信号線（シングルエンド信号線）
１３            アンテナ導体
【図１】
2018157409.tif 000003
【図２】
2018157409.tif 000004
【図３】
2018157409.tif 000005
【図４】
2018157409.tif 000006
【図５】
2018157409.tif 000007
【図６】
2018157409.tif 000008